(57)【要約】【課題】断熱材を敷設した防水下地に防水シートを好適に支持させることができるシート固定具を提供する。【解決手段】断熱材３の表面に沿う姿勢で配置され、表面側に防水シート４が固着される板状の固着部６と、固着部６から裏面側に向けて筒状に突出され、断熱材３に貫入されるボス本体部７と、ボス本体部７の内部に、ボス本体部７の軸心Ｘ方向に沿ってスライド可能な状態かつボス本体部７の突出端から突出可能な状態で挿通支持され、ボス本体部７から突出した状態で断熱材３に貫入されて釘５によって防水下地２に固定される筒状の延長ボス部８と、延長ボス部８のボス本体部７からの突出量を制限する突出量制限部１９と、が備えられ、ボス本体部７は、延長ボス部８が防水下地２に固定された状態において、固着部６と共に軸心Ｘ方向に沿ってスライド可能である。【選択図】図１
2018044358.tif 000002
【特許請求の範囲】
【請求項１】
防水下地上に断熱材が敷設されると共に前記断熱材上に防水シートが敷設される屋根において、前記断熱材よりも上側に配置された状態で前記防水下地に釘またはネジによって固定され、前記防水シートが固着されるシート固定具であって、
前記断熱材の表面に沿う姿勢で配置され、表面側に前記防水シートが固着される板状の固着部と、
前記固着部から裏面側に向けて筒状に突出され、前記断熱材に貫入されるボス本体部と、
前記ボス本体部の内部に、前記ボス本体部の軸心方向に沿ってスライド可能な状態かつ前記ボス本体部の突出端から突出可能な状態で挿通支持され、前記ボス本体部から突出した状態で前記断熱材に貫入されて前記釘または前記ネジによって前記防水下地に固定される筒状の延長ボス部と、
前記延長ボス部の前記ボス本体部からの突出量を制限する突出量制限部と、が備えられ、
前記ボス本体部は、前記延長ボス部が前記防水下地に固定された状態において、前記固着部と共に前記軸心方向に沿ってスライド可能であるシート固定具。
【請求項２】
前記延長ボス部は、前記ボス本体部の内部に、前記軸心周りに回動可能な状態で支持されている請求項１に記載のシート固定具。
【請求項３】
前記ボス本体部は、前記固着部に設けられた孔部に、前記軸心周りに回動可能な状態で支持されている請求項１または２に記載のシート固定具。
【請求項４】
前記ボス本体部と前記延長ボス部とに亘って設けられ、前記延長ボス部を、最大突出位置側から前記最大突出位置よりも突出量の小さい中立突出位置に向けて付勢する付勢機構が備えられている請求項１から３の何れか一項に記載のシート固定具。
【請求項５】
前記突出量制限部として、前記ボス本体部の内周部に前記ボス本体部の内周側に向けて突出する状態で設けられた第一突出部と、前記延長ボス部の外周部に前記延長ボス部の外周側に向けて突出する状態で設けられた第二突出部と、が備えられ、
前記軸心方向において前記第二突出部が前記第一突出部に当接することで前記延長ボス部の前記ボス本体部からの突出量が制限され、
前記付勢機構として、前記第一突出部と前記第二突出部とに亘って設けられた圧縮スプリングが備えられている請求項４に記載のシート固定具。
【請求項６】
前記軸心方向における前記ボス本体部の長さと前記延長ボス部の長さは、前記延長ボス部が最も突出した状態において前記ボス本体部の上端部と前記延長ボス部の上端部との距離が前記ボス本体部の下端部と前記延長ボス部の下端部との距離よりも大きくなるように設定されている請求項１から５の何れか一項に記載のシート固定具。
【発明の詳細な説明】
【技術分野】
【０００１】
本発明は、防水シートを固定するシート固定具に関する。
【背景技術】
【０００２】
従来のシート固定具が、例えば、特許文献１に記載されている。特許文献１に記載のシート固定具は、防水下地上に断熱材が敷設されると共に断熱材上に防水シートが敷設される屋根に用いられる。シート固定具は、断熱材よりも上側に配置した状態で防水下地にビスによって固定するものとなっており、その固定したシート固定具に防水シートを固着することで、断熱材を敷設した防水下地に防水シートを支持させるようになっている。
【先行技術文献】
【特許文献】
【０００３】
【特許文献１】特開２０１０−１２６９９４号公報
【発明の概要】
【発明が解決しようとする課題】
【０００４】
ところで、防水シートを敷設した状態では、防水シートは、シート固定具の設置箇所以外の範囲では断熱材の上に載置されているだけの状態となっているから、例えば風による揚力の作用や他の要因により防水シートがバタつく現象（いわゆるフラッタリング現象）を生じる場合がある。そのような場合、上記従来の技術では、防水シートを固着するシート固定具がビスで完全に固定されているので、防水シートの動きがビスに直接伝達され、ビスが緩む等の不都合を招き易かった。このため、断熱材を敷設した防水下地に防水シートを支持させるシート固定具の構造には、改善の余地があった。
【０００５】
上記実情に鑑み、本発明は、断熱材を敷設した防水下地に防水シートを好適に支持させることができるシート固定具を提供することを目的とする。
【課題を解決するための手段】
【０００６】
本発明のシート固定具は、
防水下地上に断熱材が敷設されると共に前記断熱材上に防水シートが敷設される屋根において、前記断熱材よりも上側に配置された状態で前記防水下地に釘またはネジによって固定され、前記防水シートが固着されるシート固定具であって、
前記断熱材の表面に沿う姿勢で配置され、表面側に前記防水シートが固着される板状の固着部と、
前記固着部から裏面側に向けて筒状に突出され、前記断熱材に貫入されるボス本体部と、
前記ボス本体部の内部に、前記ボス本体部の軸心方向に沿ってスライド可能な状態かつ前記ボス本体部の突出端から突出可能な状態で挿通支持され、前記ボス本体部から突出した状態で前記断熱材に貫入されて前記釘または前記ネジによって前記防水下地に固定される筒状の延長ボス部と、
前記延長ボス部の前記ボス本体部からの突出量を制限する突出量制限部と、が備えられ、
前記ボス本体部は、前記延長ボス部が前記防水下地に固定された状態において、前記固着部と共に前記軸心方向に沿ってスライド可能である。
【０００７】
本発明によると、突出量制限部によりボス本体部からの延長ボス部の突出量が抑えられているので、施工時に、ボス本体部から延長ボス部が抜け落ちることがない。
そして、防水シートを敷設した状態では、延長ボス部及びボス本体部は断熱材に貫入されると共に、延長ボス部を内部に挿通支持するボス本体部、及び、ボス本体部に連設されて防水シートを固着する固着部は、釘またはネジによって防水下地に固定される延長ボス部に対して、ボス本体部の軸心方向に沿ってスライド可能となっている。
このような構成であるので、防水シートにフラッタリング現象が生じて、固着部及びボス本体部に防水シートの動きが伝達されても、その動きは、ボス本体部と延長ボス部との軸心方向に沿った相対的なスライド移動により吸収され、釘またはネジに伝達され難くなり、釘またはネジに緩みが生じる等の不都合を回避し易くなる。
よって、本発明であれば、断熱材を敷設した防水下地に防水シートを好適に支持させることができる。
また、ボス本体部と延長ボス部とが別部材になっているため、施工に用いる断熱材の厚さが異なる場合であっても、ボス本体部と延長ボス部とのうち一方の部材を断熱材の厚さに依存しない共通の部材とし、ボス本体部と延長ボス部とのうち他方の部材を断熱材の厚さに応じた寸法や形状の部材とすることで、部材の製造コストの低減や部材の管理の手間の削減を図ることができる。
【０００８】
本発明において、
前記延長ボス部は、前記ボス本体部の内部に、前記軸心周りに回動可能な状態で支持されていると好適である。
【０００９】
本構成によれば、ボス本体部と延長ボス部とが、軸心周りに相対回動可能となっているので、防水シートの動きにより固着部を回転させるような力が発生した場合であっても、防水シートの動きが、固着部に連設されるボス本体部と延長ボス部との間の軸心周りの相対回転により吸収され、釘またはネジに伝達され難くなり、釘またはネジに緩みが生じる等の不都合を回避し易くなる。
【００１０】
本発明において、
前記ボス本体部は、前記固着部に設けられた孔部に、前記軸心周りに回動可能な状態で支持されていると好適である。
【００１１】
本構成によれば、固着部とボス本体部とが、軸心周りに相対回動可能となっているので、防水シートの動きにより固着部を回転させるような力が発生した場合であっても、防水シートの動きが、固着部とボス本体部との間の軸心周りの相対回転により吸収され、釘またはネジに伝達され難くなり、釘またはネジに緩みが生じる等の不都合を回避し易くなる。
【００１２】
本発明において、
前記ボス本体部と前記延長ボス部とに亘って設けられ、前記延長ボス部を、最大突出位置側から前記最大突出位置よりも突出量の小さい中立突出位置に向けて付勢する付勢機構が備えられていると好適である。
【００１３】
断熱材は、例えば、経年変化等の要因で厚さが減少するようなことがあり、その場合には、防水シートや固着部が断熱材から浮き上がった状態となり易い。そのような状態で、例えば、防水シートのうち固着部の付近の箇所を人が踏む等すると、固着部の傾斜等に起因して防水シートに局所的な応力がかかり、防水シートの破れを招くおそれがある。
本構成によれば、付勢機構によりボス本体部が断熱材側へ常時押し付けられているので、例えば、断熱材が経年変化等の要因で厚さが減少した場合であっても、ボス本体部、ボス本体部に連設される固着部、防水シートが、断熱材に近接した状態を維持できるので、上述のような弊害が生じることを防止し易くなる。
【００１４】
本発明において、
前記突出量制限部として、前記ボス本体部の内周部に前記ボス本体部の内周側に向けて突出する状態で設けられた第一突出部と、前記延長ボス部の外周部に前記延長ボス部の外周側に向けて突出する状態で設けられた第二突出部と、が備えられ、
前記軸心方向において前記第二突出部が前記第一突出部に当接することで前記延長ボス部の前記ボス本体部からの突出量が制限され、
前記付勢機構として、前記第一突出部と前記第二突出部とに亘って設けられた圧縮スプリングが備えられていると好適である。
【００１５】
本構成によれば、ボス本体部のうち内周側に向けて突出する第一突出部と延長ボス部のうち外周側に向けて突出する第二突出部との間に圧縮スプリングを配置して付勢機構を構成しているので、例えば、ボス本体部の外側に付勢機構を配置するような場合に比べて、全体構造をコンパクト化できる。
【００１６】
本発明において、
前記軸心方向における前記ボス本体部の長さと前記延長ボス部の長さは、前記延長ボス部が最も突出した状態において前記ボス本体部の上端部と前記延長ボス部の上端部との距離が前記ボス本体部の下端部と前記延長ボス部の下端部との距離よりも大きくなるように設定されていると好適である。
【００１７】
本構成によれば、例えば、固着部の上から防水シートを踏む等した場合であっても、ボス本体部の下端部が防水下地側に押し付けられた状態になると、その状態では、釘またはネジによって固定される延長ボス部の上端部がボス本体部の上端部よりも上方に過度に突出しないものとなる。これにより、延長ボス部や延長ボス部を固定する釘やネジの拡径頭部が防水シートを下方側から突き破るいわゆる踏み抜きが生じ難くなる。
【図面の簡単な説明】
【００１８】
【図１】防水シートを敷設した状態におけるシート固定具等を示す断面図である。
【図２】シート固定具の構成を示す分解斜視図である。
【図３】シート固定具の構成を示す断面図である。
【図４】シート固定具の固定に用いるアタッチメント及び空気式鋲打機等を示す分解斜視図である。
【図５】シート固定具を固定する際の状態を示す断面図である。
【図６】断熱材が経年変化等の要因で厚さが減少した状態におけるシート固定具等を示す断面図である。
【図７】別実施形態のシート固定具等を示す断面図である。
【図８】別実施形態のシート固定具等を示す断面図である。
【図９】別実施形態のシート固定具等を示す断面図である。
【発明を実施するための形態】
【００１９】
以下、本発明の一例である実施形態を図面に基づいて説明する。
〔シート固定具等の概要について〕
図１等に示すシート固定具１は、防水下地２上に断熱材３が敷設されると共に断熱材３上に防水シート４が敷設される屋根において、断熱材３よりも上側に配置された状態で防水下地２に釘５によって固定され、防水シート４が固着されるものである。詳しくは図示しないが、シート固定具１は、屋根の各箇所に所定間隔を空けて複数配置され、防水シート４は、屋根の各箇所でシート固定具１を用いて防水下地２に支持されるようになっている。
【００２０】
図１等に示す防水下地２は、本実施形態では、所定の厚さを有するコンクリート下地で構成されている。図１等に示す断熱材３は、断熱素材からなる板状の部材である。断熱材３の材質としては、例えば、ポリスチレン、ウレタン、イソシアネート等の種々のものを採用できる。また、図１等に示す防水シート４は、可撓性を有し、例えば、塩化ビニル等の合成樹脂で構成されている。
【００２１】
〔シート固定具の具体構成について〕
図１〜図３、図５、図６等に示すように、シート固定具１には、防水シート４を固定する磁性体金属製のディスク状で筒状の固着部６と、固着部６に組み合わされる樹脂製で筒状のボス本体部７と、ボス本体部７の内部に挿通支持される金属製の延長ボス部８と、ボス本体部７と延長ボス部８との間に配置されてボス本体部７を押し下げるように付勢力を作用させる付勢機構９と、が備えられている。固着部６とボス本体部７とは組み合わせることにより一体の筒型フランジ体１０を構成することができる。
【００２２】
〔固着部について〕
図１、図５、図６に示すように、固着部６には、その中央部に円形の孔部１２が設けられている。固着部６における孔部１２の周囲には周方向に均等に並べて隆起するリブ部１２Ａが複数設けられている。固着部６には、表面側に防水シート４が固着される固着面１１が備えられている。固着面１１には、ホットメルト剤や塩化ビニル等の熱可塑性樹脂が塗布されている。固着部６は、断熱材３の表面に沿う姿勢で配置される。
【００２３】
〔ボス本体部と延長ボス部について〕
図１、図５、図６に示すように、ボス本体部７は、その上部に、固着部６の孔部１２よりも外径が大きな鍔状のフランジ部１８を有している。ボス本体部７の下端側は、下方に向かうほど外径が小さくなる下すぼまり形状となっている。ボス本体部７の上下中間部は、外径が一定となっている。ボス本体部７の内周部には、大径部７Ａと、その大径部７Ａの下方に設けられ、大径部７Ａよりも径の小さな小径部７Ｂとが設けられている。大径部７Ａと小径部７Ｂに亘っては、図１に示すように、傾斜状の表面を備えた第一突出部２０が設けられている。第一突出部２０は、ボス本体部７の内周部においてボス本体部７の内周側に向けて突出する状態で設けられている。
【００２４】
図３等に示すように、ボス本体部７には、外周部の上端側におけるフランジ部１８の下方箇所に、突起状の係合部１７が設けられている。係合部１７は、固着部６を位置決め状態で係合可能となっている。具体的には、ボス本体部７に外嵌させた固着部６の孔部１２が、係合部１７を乗り越えるまで嵌合を深めると、抜け止め状態に両者を係合させることができる。これにより、固着部６とボス本体部７とが組み合わされて、一体の筒型フランジ体１０となる。
【００２５】
図１、図６等に示すように、延長ボス部８の外周部には、拡径部８Ａと、その拡径部８Ａよりも下方の位置に設けられ、拡径部８Ａよりも径が小さな縮径部８Ｂと、が設けられている。拡径部８Ａと縮径部８Ｂとに亘っては、図１に示すように、傾斜状の表面を備えた第二突出部２１が設けられている。第二突出部２１の表面の傾斜角度は、第一突出部２０の表面の傾斜角度に対応したものになっている（同じに揃えられている）。延長ボス部８の拡径部８Ａと第二突出部２１とは、延長ボス部８の外周部において延長ボス部８の外周側に向けて突出する状態で設けられている。
【００２６】
延長ボス部８は、ボス本体部７の内部に、ボス本体部７の軸心Ｘ方向に沿ってスライド可能な状態かつボス本体部７の突出端から突出可能な状態で挿通支持される。延長ボス部８は、ボス本体部７から突出した状態で断熱材３に貫入されて釘５によって防水下地２に固定される。延長ボス部８の内周部における上端部には、釘５の拡径頭部３３を係止可能な係止部３４が備えられている。延長ボス部８の内周部における係止部３４よりも下方の箇所では内径が一定になっている。
【００２７】
ボス本体部７の大径部７Ａの内周面と延長ボス部８の拡径部８Ａの外周面とが摺動可能となっており、且つ、ボス本体部７の小径部７Ｂの内周面と延長ボス部８の縮径部８Ｂの外周面とが摺動可能となっている。このため、ボス本体部７が延長ボス部８に対してぐらつき難くなっている。
【００２８】
図１等に示すように、防水シート４を敷設した状態において、ボス本体部７は、固着部６に設けられた円形状の孔部１２に、軸心Ｘ周りに相対回動可能な状態で支持されている。ボス本体部７は、固着部６から裏面側に向けて筒状に突出され、断熱材３に貫入されるものとなっている。ボス本体部７は、延長ボス部８が防水下地２に固定された状態において、固着部６と共に軸心Ｘ方向に沿ってスライド可能である。ボス本体部７の軸心Ｘ方向は、釘５の貫入方向に沿っている。また、延長ボス部８は、ボス本体部７の内部に、軸心Ｘ周りに回動可能な状態で支持されている（図１の回動方向Ｄ参照）。
【００２９】
図１等に示すように、軸心Ｘ方向におけるボス本体部７の長さと延長ボス部８の長さは、延長ボス部８が最も突出した状態（後述する最大突出位置Ｐ１に位置する状態）において、ボス本体部７の上端部１３と延長ボス部８の上端部１４との距離Ｔ１が、ボス本体部７の下端部１５と延長ボス部８の下端部１６との距離Ｔ２よりも大きくなるように設定されている。
【００３０】
また、図６に示すように、ボス本体部７の下端部１５が延長ボス部８の下端部１６と揃った状態となる場合には、延長ボス部８の上端部１４及び釘５の拡径頭部３３が、ボス本体部７の上端部１３と略同じ高さに位置するようになっている。
【００３１】
図１〜図３、図５、図６に示すように、ボス本体部７と延長ボス部８とは、別部材となっている。また、本実施形態では、ボス本体部７と延長ボス部８とは、互いに異なる材質になっており、具体的には、延長ボス部８とボス本体部７とのうち一方が金属製で、他方が、樹脂製となっている。より具体的には、ボス本体部７が、樹脂製となっており、延長ボス部８が、金属製となっている。
【００３２】
図１等に示すように、固着部６と釘５の下部との間には、断熱材３が介在しているので、固着部６と釘５の下部との間には、温度差が生じ易い。例えば、日が照っている昼間は屋外側に位置する固着部６よりも屋内側に近い釘５側の方が低温になり、夜間は屋外側に位置する固着部６よりも屋内側に近い釘５側の方が高温になるといったように、固着部６側と釘５側との間の温度の高低関係が時間経過に応じて交互に逆転する場合がある。本実施形態では、ボス本体部７を樹脂製としていることにより、断熱材３の上方に位置する磁性体金属製の固着部６と釘５との間で熱伝達が生じ難くすることができる。これにより、釘５の周辺で結露が生じにくくなり、釘５に錆び等の劣化が生じ難くなる。
【００３３】
〔突出量制限部について〕
図１、図５、図６に示すように、シート固定具１には、延長ボス部８のボス本体部７からの突出量を制限する突出量制限部１９が備えられている。突出量制限部１９は、上述の第一突出部２０と、上述の第二突出部２１と、を備えて構成されている。図１に示すように、軸心Ｘ方向において第二突出部２１が、第一突出部２０に付勢機構９を介して間接的に当接することで延長ボス部８のボス本体部７からの下方への突出量が制限される。
【００３４】
〔付勢機構について〕
図１〜図３、図５、図６に示すように、付勢機構９は、ボス本体部７の第一突出部２０と延長ボス部８の第二突出部２１とに亘って設けられた圧縮スプリング２２で構成されている。圧縮スプリング２２は、延長ボス部８を、最大突出位置Ｐ１（図１参照）側から最大突出位置Ｐ１よりも突出量の小さい中立突出位置Ｐ２（図６参照）に向けて付勢するようになっている。そして、圧縮スプリング２２は、ボス本体部７を防水下地２側に向けて軸心Ｘ方向に付勢することで、筒型フランジ体１０（ボス本体部７及び固着部６）を、断熱材３側に押し付けるようになっている。
【００３５】
〔アタッチメントについて〕
図４、図５に示すように、シート固定具１の固定には、空気式鋲打機２３が用いられる。空気式鋲打機２３の筒状の先端部には、空気式鋲打機２３の仕様に適合する筒状のアタッチメント２４が組み付けられる。アタッチメント２４は、内周部が段差状になっている。アタッチメント２４には、空気式鋲打機２３の先端部を取り付ける取付部２５と、固着部６を磁力で一時的に連結させることが可能な鍔状の連結部２６と、延長ボス部８の上端部１４の上面に対して内径が同じとなる状態で下面が突き合わせられる先端部２６Ａと、が備えられている。連結部２６には、磁石２７が周方向に並べて複数内蔵されている。
【００３６】
〔断熱防水屋根構造の施工方法について〕
上記シート固定具１等を用いた断熱防水屋根構造の施工方法について説明する。
まず、図３等に示すように、ボス本体部７の係合部１７に固着部６を係合させることにより、一体の筒型フランジ体１０にする。そして、筒型フランジ体１０におけるボス本体部７の内側に、延長ボス部８を落とし込んで装着する。この場合、突出量制限部１９を設けてあるので、第一突出部２０と第二突出部２１との間の相互作用により、ボス本体部７から延長ボス部８が抜け落ちることが防止される。
【００３７】
次に、図４等に示すように、空気式鋲打機２３における釘５の射出を案内する筒状のバレル部２８の先端にアタッチメント２４を嵌合させて組み付ける。そして、アタッチメント２４の連結部２６と筒型フランジ体１０の固着部６とを、アタッチメント２４に内蔵される磁石２７により磁力結合させる。これにより、図５に示すように、空気式鋲打機２３、アタッチメント２４、筒型フランジ体１０（固着部６、及び、ボス本体部７）、延長ボス部８が、一体化した状態となる。この際、空気式鋲打機２３のバレル部２８の先端部の下面は、アタッチメント２４の内部の上面に突き当てられた状態となっている。また、アタッチメント２４の先端部２６Ａは、ボス本体部７の内部の筒部に入り込んでおり、アタッチメント２４の先端部２６Ａの下面は、延長ボス部８の上端部１４の上面に突き当てられた状態となっている。また、バレル部２８の内筒部と、アタッチメント２４内の下端部の内筒部３０と、延長ボス部８内の内筒部３１とは、一体的に釘５の射出を案内するガイド部３２となる。
【００３８】
次に、図５に示すように、空気式鋲打機２３に、アタッチメント２４、筒型フランジ体１０（固着部６、及び、ボス本体部７）、延長ボス部８を一体化させた状態で、シート固定具１の延長ボス部８及びボス本体部７を、断熱材３に挿し込んで貫通させ、延長ボス部８の下端部１６が、防水下地２側に押し付けられた状態にする。この状態で、空気式鋲打機２３を操作して、空気式鋲打機２３に内蔵されるピストン２９の作用により、防水下地２に向けて釘５を射出する。射出された釘５は、ガイド部３２に案内されて、防水下地２に突き刺さって固定される。これにより、延長ボス部８が、釘５を介して、釘５の貫入方向（軸心Ｘ方向）に相対動不能、かつ、防水下地２に対して回動不能な状態で、防水下地２に固定される。
【００３９】
この際、図１等に示すように、釘５の拡径頭部３３が、延長ボス部８の係止部３４に係止され、延長ボス部８の全長と釘５の全長との関係で、防水下地２に対する釘５の貫入深さが決定される。また、図１等に示すように、この場合、釘５の拡径頭部３３の上端部の高さは、延長ボス部８の上端部１４と同じ高さ、または、延長ボス部８の上端部１４よりも低い高さとなっている。言い換えれば、釘５の拡径頭部３３は、延長ボス部８よりも上方へは突出しないようになっている。
【００４０】
次に、固着部６の上に、防水シート４を敷設し、防水シート４の弛みをとる。そして、防水シート４、及び、固着部６の固着面１１の上から、周知の誘導加熱装置を当て付け、誘導加熱装置による加熱で固着面１１に塗布された熱可塑性樹脂を溶融させて、防水シート４を固着部６の固着面１１に溶着する。これにより、固着部６に防水シート４が固定され、防水下地２に、釘５とシート固定具１を介して、防水シート４が支持される。
【００４１】
上記実施形態によれば、防水シート４を固着する固着部６とボス本体部７とが軸心Ｘ周りに相対回動可能（図１の回動方向Ｄ参照）、かつ、ボス本体部７が延長ボス部８に対して軸心Ｘ周りに相対回動可能（図１の回動方向Ｄ参照）、かつ、ボス本体部７が延長ボス部８に対して軸心Ｘ方向（釘５の貫入方向）に相対動可能となっている。このため、フラッタリング現象により防水シート４に動きが生じたとしても、防水シート４の動きやその力が、釘５に伝達され難いものとなる。
【００４２】
また、上記実施形態によれば、シート固定具１の延長ボス部８により、断熱材３を押しのけて、延長ボス部８の下端部１６が防水下地２の表面に十分に近付いた状態で、空気式鋲打機２３により釘５を射出するので、例えば、断熱材３の厚さの全てを釘５で貫通させる場合に比べて、釘５の射出力が断熱材３で弱まり難くなり、空気式鋲打機２３の射出力が弱くても、防水下地２に対する釘５の貫入深さを十分に得ることができる。
【００４３】
また、上記実施形態によれば、空気式鋲打機２３のバレル部２８、アタッチメント２４、延長ボス部８により一体的に、釘５の射出方向を安定させるガイド部３２を構成しているので、釘５の射出方向が安定し、所望の貫入方向で釘５を防水下地２に貫入させることができる。
【００４４】
また、上記実施形態によれば、防水下地２にハンマードリル等で下孔を穿孔する必要がなく、空気式鋲打機２３に、アタッチメント２４、シート固定具１を組み付けた状態で、断熱材３にシート固定具１を押し付けて、空気式鋲打機２３を操作して釘５を射出するだけであるので、施工工数や施工の手間を少なくできる。
【００４５】
また、上記実施形態によれば、例えば、施工時に、防水下地２にハンマードリル等で下孔を穿孔する騒音が発生せず、空気式鋲打機２３の釘５を射出する比較的小さな音が発生のみであるので、例えば、防水下地２の下方が居住空間になっている場合であっても、施工音を小さくできる。つまり、上記施工方法は、建物の屋根の改修工事に適したものとなっている。
【００４６】
また、上記実施形態によれば、シート固定具１に付勢機構９が備えられているので、例えば、断熱材３が経年変化等の要因で厚さが減少したとしても、図６に示すように、付勢機構９（圧縮スプリング２２）の作用により、ボス本体部７、固着部６、及び、防水シート４が、断熱材３側（防水下地２側）へ押し付けられた状態が維持される。これにより、固着部６に固定された防水シート４や固着部６が、断熱材３から浮き上がることを防止できる。
【００４７】
また、上記実施形態によれば、例えば、固着部６の上側に、例えば、人や物が乗る等して、固着部６やボス本体部７が、断熱材３（防水下地２）側に沈み込んだとしても、ボス本体部７の下端部１５が、防水下地２側に押し付けられた状態になると、延長ボス部８の上端部１４の高さレベル（釘５の拡径頭部３３の高さレベル）と、ボス本体部７の上端部１３の高さレベルとが略揃った状態になる。ボス本体部７は、その状態よりも下方には沈み込まない。このため、釘５や延長ボス部８が防水シート４を突き破る、いわゆる踏み抜きが生じ難いものとなる。
【００４８】
［別実施形態］
以下、上記実施形態に変更を加えた別実施形態を例示する。以下の各別実施形態における構成は、説明している事項の他は、上記実施形態の構成と同様である。各別実施形態は、矛盾が生じない限り、複数組み合わせて上記実施形態に適用できる。なお、本発明の範囲は、各実施形態に示された内容に限定されるものではない。
【００４９】
（１）上記実施形態では、延長ボス部８が最も突出した状態（最大突出位置Ｐ１に位置する状態）においてボス本体部７の上端部１３と延長ボス部８の上端部１４との距離がボス本体部７の下端部１５と延長ボス部８の下端部１６との距離よりも大きくなるように設定されているがこれに限られない。延長ボス部８が最も突出した状態（最大突出位置Ｐ１に位置する状態）において、ボス本体部７の上端部１３と延長ボス部８の上端部１４との距離が、ボス本体部７の下端部１５と延長ボス部８の下端部１６との距離と同じになるように設定されていたり、ボス本体部７の下端部１５と延長ボス部８の下端部１６との距離よりも小さくなるように設定されていたりしてもよい。
【００５０】
（２）上記実施形態では、ボス本体部７の下端部１５が延長ボス部８の下端部１６と揃った状態となる場合に、延長ボス部８の上端部１４及び釘５の拡径頭部３３が、ボス本体部７の上端部１３と略同じ高さに位置するものが例示されているが、これに限られない。例えば、ボス本体部７の下端部１５が延長ボス部８の下端部１６と揃った状態となる場合に、延長ボス部８の上端部１４及び釘５の拡径頭部３３が、ボス本体部７の上端部１３よりも下方に位置するものであってもよい。
【００５１】
（３）上記実施形態では、圧縮スプリング２２（付勢機構９）を備えるものが例示されているが、これに限られない。例えば、図７〜図９に示すように、圧縮スプリング２２（付勢機構９）が備えられていなくてもよい。
【００５２】
図７に示す別実施形態は、上記実施形態のものから、圧縮スプリング２２（付勢機構９）を無くしたものである。図７に示すものでは、軸心Ｘ方向において第二突出部２１が、第一突出部２０に直接的に当接することで延長ボス部８のボス本体部７からの突出量が制限される。
【００５３】
（４）上記実施形態では、第一突出部２０、及び、第二突出部２１が、夫々、平面状の当接面を有するものとして例示されているが、これに限られない。例えば、図８に示す別実施形態のように、第一突出部４０、及び、第二突出部４１が、夫々、球面状の当接面を有するものであってもよい。このようにすると、延長ボス部８に対してボス本体部７は３軸の旋回するような相対動が可能となる。これにより、ボス本体部７から延長ボス部８へ動きが伝達され難くなるので、釘５の緩み等が生じ難くなる。
【００５４】
（５）上記実施形態では、防水下地２はコンクリート下地で構成されているものが例示されているが、これに限られない。例えば、金属下地で防水下地を構成してもよい。
【００５５】
（６）上記実施形態では、釘５を例示しているが、これに代えて、図９に示す別実施形態のように、アンカービスのようなネジ５５を用いてもよい。この場合は、建物の梁等の躯体５０に支持される構造材としての金属下地であるデッキプレートを防水下地５２として用いることができる。デッキプレートで構成される防水下地５２は、金属板を折り曲げて構成され、山部５３と、山部５３に隣接して躯体５０に下方から支持される谷部５４とを有している。この場合、山部５３の上に断熱材３が敷設され、ネジ５５は山部５３に貫通状態で貫入固定される。そして、延長ボス部８の下端部１６が山部５３の表面に押し当てられた状態で山部５３に固定されるので、延長ボス部８に周囲を囲まれて固定されるネジ５５が山部５３に対してぐらつき難くなる。
【００５６】
（７）上記実施形態では、延長ボス部８が、ボス本体部７の内部に、軸心Ｘ周りに回動可能な状態で支持されているものが例示されているが、これに限られない。例えば、延長ボス部８が、ボス本体部７の内部に、軸心Ｘ周りに回転不能な状態で支持されていてもよい。この場合、延長ボス部８の外周部とボス本体部７の内周部と軸心Ｘ方向に沿った凸片と溝部を設け、凸片と溝部とをキー嵌合させる構造等が考えられる。
【００５７】
（８）上記実施形態では、アタッチメント２４に、固着部６を磁力で一時的に連結させることが可能な鍔状の連結部２６が一体的に設けられているものが例示されているが、これに限られない。例えば、このような鍔状の連結部２６が設けられていないアタッチメント２４であってもよい。この場合、アタッチメント２４と筒型フランジ体１０とを手等で一体となった状態に保持しながら、空気式鋲打機２３で釘５等の射出を行うものとなる。また、例えば、鍔状の連結部２６が設けられていないアタッチメント２４に、鍔状の連結部２６に相当する部材を後付けで組み付けるようにしてもよい。
【００５８】
（９）上記実施形態では、樹脂製のボス本体部７、金属製の延長ボス部８が例示されているが、これに限られない。例えば、金属製のボス本体部７や樹脂製の延長ボス部８であってもよい。
【００５９】
（１０）上記実施形態では、ボス本体部７と延長ボス部８とが、互いに異なる材質となっているものが例示されているが、これに限られない。例えば、ボス本体部７と延長ボス部８とが、同じ材質であってもよい。
【００６０】
（１１）上記実施形態では、固着部６とボス本体部７とが、別部材になっているものが例示されているが、これに限られない。例えば、固着部６とボス本体部７とが同じ部材で一体物として形成されていてもよい。
【００６１】
（１２）上記実施形態では、固着部６が、ディスク状の部材となっているものが例示されているが、これに限られない。例えば、固着部６が、矩形状の部材となっていてもよい。
【産業上の利用可能性】
【００６２】
本発明は、防水下地上に断熱材を介在させた状態で防水シートが敷設される防水断熱屋根構造の施工に用いられるシート固定具に好適に利用できる。
【符号の説明】
【００６３】
１          ：シート固定具
２，４２    ：防水下地
３          ：断熱材
４          ：防水シート
５          ：釘
６          ：固着部
７          ：ボス本体部
８          ：延長ボス部
９          ：付勢機構
１２        ：孔部
１３        ：上端部
１４        ：上端部
１５        ：下端部
１６        ：下端部
１７        ：係合部
１９        ：突出量制限部
２０，４０  ：第一突出部
２１，４１  ：第二突出部
２２        ：圧縮スプリング
５５        ：ネジ
Ｐ１        ：最大突出位置
Ｐ２        ：中立突出位置
Ｔ１        ：距離
Ｔ２        ：距離
Ｘ          ：軸心
【図１】
2018044358.tif 000003
【図２】
2018044358.tif 000004
【図３】
2018044358.tif 000005
【図４】
2018044358.tif 000006
【図５】
2018044358.tif 000007
【図６】
2018044358.tif 000008
【図７】
2018044358.tif 000009
【図８】
2018044358.tif 000010
【図９】
2018044358.tif 000011